(57)【要約】【課題】      ア−ム部材に円形嵌合部と回り止め係合部を設けて非円形加工を廃してコストの低減を図った魚釣用リ−ルの回転操作部材を提供することである。【解決手段】  ハンドルＡのハンドルア−ムからなるア−ム部材２に断面円形の透孔からなる嵌合部２ａと傾斜面ａからなる回り止め係合部２ｂを形成し、支軸３の軸部３ａの一側に断面円形部３ｂを形成して、断面円形の透孔からなる嵌合部２ａと断面円形部３ｂを嵌合し、嵌合部２ａから突出した断面円形部３ｂを傾斜面ａからなる回り止め係合部２ｂに沿って潰し加工して回り止め固定している。【選択図】        図２
2005160426.tif 000002
【特許請求の範囲】
【請求項１】
リ−ル本体の駆動部に連結されるア−ム部材に、回転操作部材を支持する支軸を回り止め固定した魚釣用リ−ルの回転操作部材において、前記ア−ム部材に嵌合部と回り止め係合部を形成して該嵌合部に前記支軸の端部に形成した断面円形部を嵌合し、前記支軸の端部を潰し加工することにより前記回り止め係合部を介して前記支軸をア−ム部材に回り止め固定したことを特徴とする魚釣用リ−ルの回転操作部材。
【請求項２】
前記回り止め係合部が、ア−ム部材の支軸が嵌合する開口側の端面に形成されている傾斜面であることを特徴とする請求項１記載の魚釣用リ−ルの回転操作部材。
【請求項３】
前記回り止め係合部が、ア−ム部材の支軸が嵌合する開口側に形成されている非円形部であることを特徴とする請求項１記載の魚釣用リ−ルの回転操作部材。
【発明の詳細な説明】
【技術分野】
【０００１】
本発明は、リ−ル本体の駆動部に連結されるア−ム部材に取り付けられる摘みからなる回転操作部材の支持構造を改良した魚釣用リ−ルの回転操作部材に関する。
【背景技術】
【０００２】
従来リ−ル本体の駆動部に連結されるア−ム部材に取り付けられる摘みからなる回転操作部材の支持構造として、例えば、巻き取り駆動機構に連結されるハンドルア−ムの一端部に固定される支軸に摘みを回転自在に抜け止め支持される構造が一般的に知られており、巻き取り操作等の実用に支障なく耐えられるために安定した支軸のハンドルア−ムへの固定が望まれている。
そこで、支軸をハンドルア−ムに安定して回り止め固定する構成として、支軸に断面円形嵌合部と断面非円形部を軸方向に併設し、ハンドルア−ムに回り止め嵌合固定するようにしたものが、特許文献１で提案されている。
【特許文献１】特開２００３−９７３３号公報
【発明の開示】
【発明が解決しようとする課題】
【０００３】
解決しようとする問題点は、特許文献１の構成により、支軸の断面円形嵌合部をハンドルア−ムに精度良く嵌合でき、かつ、断面非円形部で確実に支軸をハンドルア−ムに回り止め固定できるようになったが、支軸の非円形形状の加工工程が追加されるために製造コストが高くなってしまう。
又、前記特許文献１のハンドルア−ムには支軸の一端部を回り止め固定し、他端部に摘み着脱用のネジを形成した高価格仕様の構成が示されているが、このハンドルア−ムをハンドル摘みの交換を不要とする低価格仕様（支軸の一端部をハンドルア−ムに固定して他端部に摘み着脱用のネジを形成していない支軸に摘みを嵌合し、該摘みを回転可能に抜け止めするタイプ）のものに使用してハンドルア−ムに互換性を持たせようとすると、ハンドルア−ムに互換性を持たせるために、ハンドルア−ムに回り止め固定される支軸に非円形部を形成する必要が生じることにより、低価格仕様用の支軸の製造コストが高くなる。
又は、低価格仕様用のために互換性のないハンドルア−ムを新たに製作しなければならず、かなりのコスト高になる等の課題が残されている。
【０００４】
本発明の目的は前記欠点に鑑み、ア−ム部材に円形嵌合部と回り止め係合部を設けて非円形加工を廃してコストの低減を図った魚釣用リ−ルの回転操作部材を提供することである。
【課題を解決するための手段】
【０００５】
本発明の請求項１は、リ−ル本体の駆動部に連結されるア−ム部材に、回転操作部材を支持する支軸を回り止め固定した魚釣用リ−ルの回転操作部材において、前記ア−ム部材に嵌合部と回り止め係合部を形成して該嵌合部に前記支軸の端部に形成した断面円形部を嵌合し、前記支軸の端部を潰し加工することにより前記回り止め係合部を介して前記支軸をア−ム部材に回り止め固定したことを要旨とするものである。
本発明の請求項２は、前記回り止め係合部が、ア−ム部材の支軸が嵌合する開口側の端面に形成されている傾斜面であることを要旨とするものである。
本発明の請求項３は、前記回り止め係合部が、ア−ム部材の支軸が嵌合する開口側に形成されている非円形部であることを要旨とするものである。
【発明の効果】
【０００６】
請求項１の本発明により、ハンドルのア−ム部材の嵌合部と支軸の断面円形部が円形形状で嵌合固定され、ア−ム部材の回り止め係合部に支軸の断面円形部が潰し加工で回り止め固定されているので、支軸に非円形部を形成する必要がないから、互換性が向上すると共に支軸の製造コストアップを抑えることができる。
請求項２の本発明により、ア−ム部材の傾斜面からなる回り止め係合部に沿って支軸の断面円形部が潰し加工されることで回り止め固定されるので、傾斜面からなる回り止め係合部の形成が容易であると共に回り止め固定作業が容易になる。
請求項３の本発明により、ア−ム部材の端面に回り止めの非円形部の形成が容易であると共に回り止め固定作業が容易になる。
【発明を実施するための最良の形態】
【０００７】
ハンドルＡのハンドルア−ムからなるア−ム部材２に断面円形の透孔からなる嵌合部２ａと傾斜面ａからなる回り止め係合部２ｂを形成し、支軸３の軸部３ａの一側に断面円形部３ｂを形成して、断面円形の透孔からなる嵌合部２ａと断面円形部３ｂを嵌合し、嵌合部２ａから突出した断面円形部３ｂを傾斜面ａからなる回り止め係合部２ｂに沿って潰し加工して回り止め固定している。
【実施例１】
【０００８】
以下、図示の実施例によって本発明を説明すると、図１、図２は第１実施例で魚釣用リ−ルを魚釣用スピニングリ−ルで述べると、図１は魚釣用スピニングリ−ルの背面図とハンドルの要部断面側面図、図２の（ａ）はア−ム部材に支軸を潰し加工する前のハンドルの要部拡大断面側図で、（ｂ）はア−ム部材に支軸を潰し加工固定したハンドルの要部拡大断面側面図である。
【０００９】
魚釣用スピニングリ−ルはリ−ル本体１の一側に突出したハンドルＡのハンドルア−ムからなるア−ム部材２がリ−ル本体１に回転可能に支持され、ア−ム部材２に支軸３を介して回転可能にハンドル摘みからなる回転操作部材４が支持されている。
ア−ム部材２が回転されるとリ−ル本体１内の駆動装置が駆動される。
ア−ム部材２の一側端には断面円形の透孔からなる嵌合部２ａと一側端に傾斜面ａからなる回り止め係合部２ｂが形成されている。
支軸３は軸部３ａの一側に断面円形部３ｂが形成されている。
回転操作部材４は筒状の握り部４ａの中心に透孔４ｂと透孔４ｂの一端に凸部４ｃが、他端に凹部４ｄが形成されている。
【００１０】
ア−ム部材２に支軸３が固定される時は、透孔からなる嵌合部２ａに断面円形部３ｂが嵌合又は圧入されて透孔からなる嵌合部２ａから突出させると共に断面円形部３ｂの端部が傾斜面ａからなる回り止め係合部２ｂに沿って潰し加工されてカシメ部ｂとなる。
支軸３の軸部３ａ外周に回転操作部材４が回転可能に嵌合されて軸部３ａの他端の大径部ｃで回転操作部材４が抜け止めされ、凹部４ｄ内に他端の大径部ｃが収容されている。
【００１１】
前記のようにハンドルＡのア−ム部材２の透孔からなる嵌合部２ａに支軸３の断面円形部３ｂが嵌合されると共に傾斜面ａからなる回り止め係合部２ｂに沿って潰し加工されると、ア−ム部材２に対して支軸３が回り止め固定される。
回転操作部材４を支持しア−ム部材２に回り止め固定される支軸３の嵌合形状を、共に断面円形とすることが可能となり、非円形回り止め加工を必要としなくなる。
【００１２】
魚釣用リ−ルが前記のように構成されると、ハンドルＡのア−ム部材２に支軸３が円形形状で嵌合固定されて傾斜面ａからなる回り止め係合部２ｂに沿って潰し加工されることで回り止め固定されるので、回転操作部材４を支持しア−ム部材２に回り止め固定される支軸３の嵌合形状を、共に断面円形とすることが可能となり、非円形部を形成する必要がないから、ア−ム部材２と支軸３の製造コストアップを抑えることができる。
ア−ム部材２の傾斜面ａからなる回り止め係合部２ｂに沿って支軸３の断面円形部３ｂが潰し加工されることで回り止め固定されるので、傾斜面からなる回り止め係合部の形成が容易であると共に回り止め固定作業が容易になる。
【００１３】
図３、図４は第１実施例の第１変形例で、図３は魚釣用スピニングリ−ルの背面図とハンドルの要部断面側面図、図４の（ａ）はア−ム部材に支軸を潰し加工する前のハンドルの要部拡大断面側図で、（ｂ）はア−ム部材に支軸を潰し加工固定したハンドルの要部拡大断面側面図である。
【００１４】
第１変形例では、ア−ム部材２の一側端には断面円形の透孔からなる嵌合部２ａと一側端に傾斜面ａからなる回り止め係合部２ｂが形成されている。
支軸３は軸部３ａの一側に断面円形部３ｂが形成されている。
回転操作部材４は筒状の握り部４ａの中心に透孔４ｂと透孔４ｂの一端に凸部４ｃが、他端に凹部４ｄが形成されている。
他の構成は前記第１実施例と略同一である。
【００１５】
ア−ム部材２に支軸３が固定される時は、透孔からなる嵌合部２ａに断面円形部３ｂが嵌合されて透孔からなる嵌合部２ａから突出させてワッシャ５を嵌合し、ワッシャ５から突出した断面円形部３ｂの端部が傾斜面ａからなる回り止め係合部２ｂに沿って潰し加工されてカシメ部ｂとなる。
このように、ワッシャ５を介して、支軸３の断面円形部３ｂの端部がカシメ加工されると、カシメ加工時のキズ発生を防止できると共に、耐食性も向上する。
【００１６】
図５、図６は第１実施例の第２変形例で、図５は魚釣用スピニングリ−ルの背面図とハンドルの要部断面側面図、図６はハンドルの要部拡大断面側図である。
【００１７】
第２変形例では、ア−ム部材２の一側端には断面円形の透孔からなる嵌合部２ａと一側端に傾斜面ａからなる回り止め係合部２ｂが形成されている。
支軸３′は軸部３ｃの一側に鍔部３ｄと断面円形部３ｂが形成され、他側にネジ穴３ｅが形成されている。
支軸３′の軸部３ｃ外周に軸受６、７が嵌合されて軸受６、７の外周に回転操作部材４が嵌合されてネジ８で抜け止めされ、ネジ８側の凹部４ｄにカバ−９が挿入固定されている。
回転操作部材４は筒状の握り部４ａの中心に透孔４ｅと透孔４ｅの両端に凹部４ｆ、４ｇが形成されて凹部４ｆ、４ｇで段部が形成されている。
他の構成は前記第１実施例と略同一である。
【００１８】
ア−ム部材２に支軸３′が固定される時は、透孔からなる嵌合部２ａに断面円形部３ｂが嵌合されて透孔からなる嵌合部２ａから突出させた断面円形部３ｂの端部が傾斜面ａからなる回り止め係合部２ｂに沿って潰し加工されてカシメ部ｂとなる。
【００１９】
前記のようにハンドルＡのア−ム部材２に支軸３′が透孔からなる嵌合部２ａに断面円形部３ｂが嵌合されて透孔からなる嵌合部２ａから突出させた断面円形部３ｂの端部が傾斜面ａからなる回り止め係合部２ｂに沿って潰し加工されてカシメ部ｂで、ア−ム部材２に支軸３′が固定される。
カバ−９とネジ８を取り外して、回転操作部材４や軸受６、７の清掃や注油等のメンテナンスが行える。
前記のようにネジ穴３ｅが形成されて回転操作部材４の取り外しや交換が可能な高価格仕様の支軸３′が、前記第１実施例の回転操作部材４の取り外しの出来ない低価格仕様の支軸３が取付け可能なア−ム部材２との互換性が取れてコストの低減が図れる。
【実施例２】
【００２０】
図７、図８は第２実施例で、図７はリ−ル本体側から見たア−ム部材に支軸を潰し加工する前の要部拡大側面図で、図８はリ−ル本体側から見たア−ム部材に支軸を潰し加工固定した要部拡大側図である。
【００２１】
第２実施例では、ア−ム部材２の一側端には断面円形の透孔からなる嵌合部２ａが形成されると共に透孔からなる嵌合部２ａの開口周囲縁に三角形の切込みからなる回り止め係合部２ｃが複数形成されている。
支軸３′には、軸部３ｃの一側に鍔部３ｄと断面円形部３ｂが形成されている。
他の構成は前記第１実施例の第２変形例と略同一である。
【００２２】
ア−ム部材２に支軸３′が固定される時は、透孔からなる嵌合部２ａに断面円形部３ｂが嵌合又は圧入されて透孔からなる嵌合部２ａから突出させた断面円形部３ｂの端部が潰し加工されると、断面円形部３ｂの一部は三角形の切込みからなる回り止め係合部２ｃに入り込んで回り止めされると共にカシメ部ｂができる。
【００２３】
前記のようにハンドルＡのア−ム部材２に支軸３′が透孔からなる嵌合部２ａに断面円形部３ｂが嵌合されて透孔からなる嵌合部２ａから突出させた断面円形部３ｂの端部が潰し加工されて三角形の切込みからなる回り止め係合部２ｃに入り込んで回り止めされると、ア−ム部材２に対して支軸３′が確実に回り止め固定されると共に、支軸３′に非円形部を形成する必要がないので、製造コストアップを抑えることができる。
【実施例３】
【００２４】
図９、図１０は第３実施例で、図９はリ−ル本体側から見たア−ム部材に支軸を潰し加工する前の要部拡大側面図で、図１０はリ−ル本体側から見たア−ム部材に支軸を潰し加工固定した要部拡大側図である。
【００２５】
第３実施例では、ア−ム部材２の一側端には断面円形の透孔からなる嵌合部２ａが形成されると共に透孔からなる嵌合部２ａの軸方向に沿って溝からなる回り止め係合部２ｄが形成されている。
支軸３′には、軸部３ｃの一側に鍔部３ｄと断面円形部３ｂが形成されている。
他の構成は前記第１実施例の第２変形例と略同一である。
【００２６】
ア−ム部材２に支軸３′が固定される時は、透孔からなる嵌合部２ａに断面円形部３ｂが嵌合又は圧入されて透孔からなる嵌合部２ａから突出させた断面円形部３ｂの端部が潰し加工されると、断面円形部３ｂの一部は溝からなる回り止め係合部２ｄに入り込んで回り止めされると共にカシメ部ｂができる。
【００２７】
前記のようにハンドルＡのア−ム部材２に支軸３′が透孔からなる嵌合部２ａに断面円形部３ｂが嵌合されて透孔からなる嵌合部２ａから突出させた断面円形部３ｂの端部が潰し加工されて溝からなる回り止め係合部２ｄに入り込んで回り止めされると、ア−ム部材２に対して支軸３′が確実に回り止め固定される。
【実施例４】
【００２８】
図１１、図１２は第４実施例で、図１１はリ−ル本体側から見たア−ム部材に支軸を潰し加工する前の要部拡大側面図で、図１２はリ−ル本体側から見たア−ム部材に支軸を潰し加工固定した要部拡大側図である。
【００２９】
第４実施例では、ア−ム部材２の一側端には断面円形の透孔からなる嵌合部２ａが形成されると共に透孔からなる嵌合部２ａの開口縁に透孔からなる嵌合部２ａより大径で嵌合部２ａの軸芯に対して偏芯した凹部からなる回り止め係合部２ｅが形成されている。
支軸３′には、軸部３ｃの一側に鍔部３ｄと断面円形部３ｂが形成されている。
他の構成は前記第１実施例の第２変形例と略同一である。
【００３０】
ア−ム部材２に支軸３′が固定される時は、透孔からなる嵌合部２ａに断面円形部３ｂが嵌合又は圧入されて透孔からなる嵌合部２ａから突出させた断面円形部３ｂの端部が潰し加工されると、断面円形部３ｂの一部は透孔からなる嵌合部２ａより大径で偏芯した凹部からなる回り止め係合部２ｅに入り込んで回り止めされると共にカシメ部ｂができる。
【００３１】
前記のようにハンドルＡのア−ム部材２に支軸３′が透孔からなる嵌合部２ａに断面円形部３ｂが嵌合されて透孔からなる嵌合部２ａから突出させた断面円形部３ｂの端部が潰し加工されて透孔からなる嵌合部２ａより大径で偏芯した凹部からなる回り止め係合部２ｅに入り込んで回り止めされると、ア−ム部材２に対して支軸３′が確実に回り止め固定される。
偏芯した凹部からなる回り止め係合部２ｅは楕円の凹部からなる回り止め係合部であってもよく、断面円形の透孔からなる嵌合部２ａに対して非円形部であればよい。
ア−ム部材２の端面に形成される、偏芯した凹部からなる回り止め係合部２ｅや楕円や回り止めの非円形部は、形成が容易であると共に回り止め固定作業が容易になり、製造コストアップを抑えることができる。
【産業上の利用可能性】
【００３２】
前記説明では、魚釣用リ−ルを魚釣用スピニングリ−ルで述べたが、他の形式の魚釣用リ−ルに実施してもよい。
前記説明では、ア−ム部材をハンドルア−ムとしたが、ア−ム部材をクラッチレバ−やスイッチレバ−等としてもよい。
【図面の簡単な説明】
【００３３】
【図１】第１実施例で、魚釣用スピニングリ−ルの背面図とハンドルの要部断面側面図である。
【図２】同（ａ）はア−ム部材に支軸を潰し加工する前のハンドルの要部拡大断面側図で、（ｂ）はア−ム部材に支軸を潰し加工固定したハンドルの要部拡大断面側面図である。
【図３】第１実施例の第１変形例で、魚釣用スピニングリ−ルの背面図とハンドルの要部断面側面図である。
【図４】同（ａ）はア−ム部材に支軸を潰し加工する前のハンドルの要部拡大断面側図で、（ｂ）はア−ム部材に支軸を潰し加工固定したハンドルの要部拡大断面側面図である。
【図５】第１実施例の第２変形例で、魚釣用スピニングリ−ルの背面図とハンドルの要部断面側面図である。
【図６】図５のハンドルの要部拡大断面側面図である。
【図７】第２実施例で、リ−ル本体側から見たア−ム部材に支軸を潰し加工する前の要部拡大側面図である。
【図８】第２実施例で、ア−ム部材に支軸を潰し加工固定したハンドルの要部拡大断面側面図である。
【図９】第３実施例で、リ−ル本体側から見たア−ム部材に支軸を潰し加工する前の要部拡大側面図である。
【図１０】第３実施例で、ア−ム部材に支軸を潰し加工固定したハンドルの要部拡大断面側面図である。
【図１１】第４実施例で、リ−ル本体側から見たア−ム部材に支軸を潰し加工する前の要部拡大側面図である。
【図１２】第４実施例で、ア−ム部材に支軸を潰し加工固定したハンドルの要部拡大断面側面図である。
【符号の説明】
【００３４】
１  リ−ル本体
２  ア−ム部材
２ａ  嵌合部
２ｂ、２ｃ、２ｄ、２ｅ  回り止め係合部
３、３′  支軸
３ｂ  断面円形部
４  回転操作部材
ａ  傾斜面
【図１】
2005160426.tif 000003
【図２】
2005160426.tif 000004
【図３】
2005160426.tif 000005
【図４】
2005160426.tif 000006
【図５】
2005160426.tif 000007
【図６】
2005160426.tif 000008
【図７】
2005160426.tif 000009
【図８】
2005160426.tif 000010
【図９】
2005160426.tif 000011
【図１０】
2005160426.tif 000012
【図１１】
2005160426.tif 000013
【図１２】
2005160426.tif 000014